(57)【要約】【課題】液体繰出し後のタンク内の残圧を除去することができて、その後の液体のタンク部Ｔからの漏れ出しを防ぐことができる液体繰出し容器を提供する。【解決手段】液体を収容するタンク部Ｔを内蔵し、その先端供給口から液体を繰出し可能となった本体１２と、タンク部Ｔ内を摺動して液体を先端供給口方向へと押し出すピストン２２及びピストンロッド２４と、本体１２に対して移動可能に設けられ外部から操作が可能となった操作筒２６と、操作筒の操作をピストン２２及びピストンロッド２４のタンク部Ｔ内の軸方向の前進運動に変換する変換機構と、を備え、変換機構は、操作筒２６の操作に基づきピストン２２及びピストンロッド２４が前進運動した後にピストン２２及びピストンロッド２４の所定量の後退運動を発生させる。【選択図】図１
2010274989.tif 000002
【特許請求の範囲】
【請求項１】
液体を収容するタンク部を内蔵し、その先端供給口から液体を繰出し可能となった本体と、
前記タンク部内を摺動して液体を先端供給口方向へと押し出す繰出し体と、
本体に対して移動可能に設けられ外部から操作が可能となった操作体と、
操作体の操作を繰出し体のタンク部内の軸方向の前進運動に変換する変換機構と、
を備えた液体繰出し容器において、
前記変換機構は、操作体の操作に基づき繰出し体が前進運動した後に繰出し体の所定量の後退運動を発生させることを特徴とする液体繰出し容器。
【請求項２】
前記変換機構は、繰出し体と螺合する螺合部材を備え、前記操作体の操作によって該螺合部材と繰出し体との間に相対回転を発生させて前記繰出し体の軸方向の前進運動に変換すると共に、前記螺合部材を後退させることによって前記繰出し体の後退運動を発生することを特徴とする請求項１記載の液体繰出し容器。
【請求項３】
前記変換機構は、前記操作体の操作開始に伴い螺合部材を前進させることによって前記繰出し体の前進運動を発生することを特徴とする請求項２記載の液体繰出し容器。
【請求項４】
前記変換機構は、前記螺合部材を後退方向に付勢するリターンスプリングを備えることを特徴とする請求項２または３記載の液体繰出し容器。
【請求項５】
前記変換機構は、前記螺合部材に形成された第１鋸歯と、該第１鋸歯に噛み合い軸方向に移動不能な第２鋸歯とを備えており、前記第１鋸歯と前記第２鋸歯とは、前記操作体からの操作に基づき噛み合いが外れる方向へと相対回転し、螺合部材は、その相対回転に応じて軸方向に前後動することを特徴とする請求項４記載の液体繰出し容器。
【請求項６】
前記螺合部材は前記本体に対して相対回転不能であり、
前記変換機構は、操作体の一方向の回転操作を繰出し体に伝達する第１伝達部材を備えており、前記第２鋸歯は、第１伝達部材の前記一方向の回転に対して同方向に回転する一方で、第１伝達部材の前記一方向と反対の方向の回転に対して、第１鋸歯との噛み合いによって回転しないことを特徴とする請求項５記載の液体繰出し容器。
【請求項７】
前記変換機構は、前記螺合部材に形成された第１係合部と、該第１係合部に係合し軸方向に移動不能な第２係合部とを備えており、前記操作体の操作開始に伴い前記第１係合部と前記第２係合部との係合が外れる方向へと螺合部材が軸方向に前進し、前記螺合部材と前記繰出し体との相対回転発生後に、螺合部材が軸方向に後退して前記第１係合部と前記第２係合部とが係合することを特徴とする請求項４記載の液体繰出し容器。
【請求項８】
前記変換機構は、操作体のノック操作を一方向の回転に変換して螺合部材に伝達する第２伝達部材を備えており、第２伝達部材は、操作体の操作開始に伴い操作体と一緒に前進して螺合部材を前進させ、その後に操作体に対して回転して螺合部材を回転させ、その後に操作体に対して相対的に後退して螺合部材を後退させることを特徴とする請求項７記載の液体繰出し容器。
【発明の詳細な説明】
【技術分野】
【０００１】
本発明は、化粧用、筆記用、修正用媒体等の液体を繰り出す液体繰出し容器に関する。
【背景技術】
【０００２】
従来、この種の液体繰出し容器としては、特許文献１及び特許文献２に記載されたものが知られている。
【０００３】
特許文献１で開示される液体繰出し容器では、液体を収容するタンク部を有し、先端側に供給口を有する本体と、タンク部内を前進するピストンと、ピストンと一体的に連結され後方へと伸び、周面に雄ネジが形成されたピストンロッドと、本体の後部に相対回転可能に取り付けられた操作筒と、ピストンロッドの雄ネジに螺合する雌ネジ孔が形成されると共に、操作筒と一体に回転するピストンロッドガイドと、本体の後内部に固定されると共に、前記ピストンロッドが相対回転不能に挿通する挿通孔が形成されたラチェット筒と、を備え、操作筒の前端に鋸歯が形成され、ラチェット筒の後端には、該鋸歯と噛み合うと共に軸方向に出没可能となったラチェット歯が形成されており、操作筒を回転すると、ピストンロッドガイドが回転してピストンが前進して液体が先端の供給口より繰出されるようになっている。
【０００４】
また、特許文献２で開示される液体繰出し容器では、液体を収容し、先端側に供給口を有するタンクと、タンク内を摺動するピストンと、ピストンと一体的に連結され後方へと伸び、周面に雄ネジが形成されタンクに対して相対的に回転不能となったネジ軸と、ネジ軸の雄ネジに螺合する雌ネジ孔が形成された回転カムと、回転カムの後方にあって該回転カムを一方向に回転するノックカムと、ノックカムに対して後方へ弾発され、ノック操作可能となったノック体と、を備え、ノック体とノックカムとのいずれか一方に突起が形成され、他方に軸線方向に傾斜し、該突起が嵌入された傾斜路が形成されており、ノック体のノック動作によりノックカムが回転し回転カムを回転してピストンが前進して液体が先端の供給口より繰出されるようになっている。
【先行技術文献】
【特許文献】
【０００５】
【特許文献１】特開２００１−２９９４４２号公報
【特許文献２】特開２００１−２３２２７３号公報
【発明の概要】
【発明が解決しようとする課題】
【０００６】
このように従来の液体繰出し装置においては、回転操作またはノック操作によりピストンが前進して、タンク内の圧力を上げて、供給口より液体が繰出されるようになっているが、タンク内に収容される液体の粘度によって、タンク内の圧力と液体粘度とのバランスがとられるまで、液体がじわじわと供給口から出続け、キャップを被せて供給口を塞いだ後でも、液体が漏れ出すおそれがある、という問題がある。
【０００７】
本発明はかかる課題に鑑みなされたもので、液体繰出し後のタンク内の残圧を除去することができて、その後のタンク部からの液体の漏れ出しを防ぐことができる液体繰出し容器を提供することをその目的とする。
【課題を解決するための手段】
【０００８】
上記目的を達成するために本発明のうち請求項１記載の発明は、液体を収容するタンク部を内蔵し、その先端供給口から液体を繰出し可能となった本体と、
前記タンク部内を摺動して液体を先端供給口方向へと押し出す繰出し体と、
本体に対して移動可能に設けられ外部から操作が可能となった操作体と、
操作体の操作を繰出し体のタンク部内の軸方向の前進運動に変換する変換機構と、
を備えた液体繰出し容器において、
前記変換機構は、操作体の操作に基づき繰出し体が前進運動した後に繰出し体の所定量の後退運動を発生させることを特徴とする。
【０００９】
請求項２記載の発明は、請求項１記載の前記変換機構が、繰出し体と螺合する螺合部材を備え、前記操作体の操作によって該螺合部材と繰出し体との間に相対回転を発生させて前記繰出し体の軸方向の前進運動に変換すると共に、前記螺合部材を後退させることによって前記繰出し体の後退運動を発生することを特徴とする。
【００１０】
請求項３記載の発明は、請求項２記載の前記変換機構が、前記操作体の操作開始に伴い螺合部材を前進させることによって前記繰出し体の前進運動を発生することを特徴とする。
【００１１】
請求項４記載の発明は、請求項２または３記載の前記変換機構が、前記螺合部材を後退方向に付勢するリターンスプリングを備えることを特徴とする。
【００１２】
請求項５記載の発明は、請求項４記載の前記変換機構が、前記螺合部材に形成された第１鋸歯と、該第１鋸歯に噛み合い軸方向に移動不能な第２鋸歯とを備えており、前記第１鋸歯と前記第２鋸歯とは、前記操作体からの操作に基づき噛み合いが外れる方向へと相対回転し、螺合部材は、その相対回転に応じて軸方向に前後動することを特徴とする。
【００１３】
請求項６記載の発明は、請求項５記載の前記螺合部材が前記本体に対して相対回転不能であり、
前記変換機構は、操作体の一方向の回転操作を繰出し体に伝達する第１伝達部材を備えており、前記第２鋸歯は、第１伝達部材の前記一方向の回転に対して同方向に回転する一方で、第１伝達部材の前記一方向と反対の方向の回転に対して、第１鋸歯との噛み合いによって回転しないことを特徴とする。
【００１４】
請求項７記載の発明は、請求項４記載の前記変換機構が、前記螺合部材に形成された第１係合部と、該第１係合部に係合し軸方向に移動不能な第２係合部とを備えており、前記操作体の操作開始に伴い前記第１係合部と前記第２係合部との係合が外れる方向へと螺合部材が軸方向に前進し、前記螺合部材と前記繰出し体との相対回転発生後に、螺合部材が軸方向に後退して前記第１係合部と前記第２係合部とが係合することを特徴とする。
【００１５】
請求項８記載の発明は、請求項７記載の前記変換機構が、操作体のノック操作を一方向の回転に変換して螺合部材に伝達する第２伝達部材を備えており、第２伝達部材は、操作体の操作開始に伴い操作体と一緒に前進して螺合部材を前進させ、その後に操作体に対して回転して螺合部材を回転させ、その後に操作体に対して相対的に後退して螺合部材を後退させることを特徴とする。
【００１６】
明細書及び特許請求の範囲において、「操作体の操作開始に伴う」とは、操作開始と同時、部材の空転、遊びなどの遅延を含めた操作開始の直後をも含み、必ずしも、操作体の操作開始と同時に繰出し体または螺合部材が前進を開始する場合に限られない。操作体の操作開始をトリガとして繰出し体または螺合部材が前進を開始すればよい。
【発明の効果】
【００１７】
本発明によれば、変換機構は、操作体の操作に基づき繰出し体が前進運動した後に繰出し体の所定量の後退運動を発生させることができるため、この繰出し体の後退運動によって、タンク部内の残圧を解消することができて、タンク部からの液体の漏れ出しを防ぐことができる。
【図面の簡単な説明】
【００１８】
【図１】本発明の液体繰出し容器の第１実施形態を表す全体縦断面図である。
【図２】第１実施形態による液体繰出し容器の要部部品の分解斜視図である。
【図３】第１実施形態によるピストンロッドガイドの（ａ）は側面図、（ｂ）は縦断面図、（ｃ）は（ｂ）のｃ−ｃ線に沿って見た断面図である。
【図４】第１実施形態によるラチェット筒の（ａ）は側面図、（ｂ）は縦断面図である。
【図５】第１実施形態による中ネジ筒の（ａ）は側面図、（ｂ）は縦断面図である。
【図６】第１実施形態による回り止め筒の（ａ）は側面図、（ｂ）は縦断面図である。
【図７】第１実施形態による液体繰出し容器を使用する際の縦断面図である。
【図８】第１実施形態による液体繰出し容器を使用する際の縦断面図であり、操作筒を正方向に回転したときの図である。
【図９】第１実施形態による液体繰出し容器を使用する際の縦断面図であり、操作筒を逆方向に回転したときの図である。
【図１０】本発明の液体繰出し容器の第２実施形態を表す全体縦断面図である。
【図１１】第２実施形態による液体繰出し容器の要部部品の分解斜視図である。
【図１２】第２実施形態による尾冠の（ａ）は平面図、（ｂ）は（ａ）のｂ−ｂ線に沿って見た縦断面図、（ｃ）は（ｂ）のｃ−ｃ線に沿って見た縦断面図、（ｄ）は（ｂ）のｄ−ｄ線に沿って見た横断面図、（ｅ）は（ｂ）のｅ−ｅ線に沿って見た横断面図である。
【図１３】第２実施形態による操作筒の平面図である。
【図１４】第２実施形態による摺動カムの（ａ）は平面図、（ｂ）は縦断面図である。
【図１５】第２実施形態による回転カムの（ａ）は平面図、（ｂ）は縦断面図である。
【図１６】第２実施形態による液体繰出し容器を使用する際の縦断面図である。
【図１７】第２実施形態による液体繰出し容器を使用する際の縦断面図であり、操作筒のノックを開始したときの図である。
【図１８】第２実施形態による液体繰出し容器を使用する際の縦断面図であり、操作筒のノックの途中の図である。
【図１９】第２実施形態による液体繰出し容器を使用する際の縦断面図であり、操作筒のノックを完全に行ったときの図である。
【発明を実施するための形態】
【００１９】
以下、図面を用いて本発明の実施の形態を説明する。
（第１実施形態）
図１において、符号１０は液体繰出し容器であり、液体繰出し容器１０は、例えば、化粧用、筆記用、修正用媒体等の液体Ｌが収容されたタンク部Ｔを有し、先端に先端供給口１２ｂを有する本体１２を有している。
【００２０】
本体１２の先端側には、本体１２の先端の先端供給口１２ｂに固定された先具１４と、先具１４の後部に固定されたパイプホルダー１６と、パイプホルダー１６の先端に固定された先端パイプ１８と、先端パイプ１８の先端がその基部内に挿入され先具１４内に基部が固定されたブラシ（先端塗布体）２０と、が設けられる。
【００２１】
また、本体１２の後端側には、タンク部Ｔ内を摺動可能となったピストン２２と、ピストン２２と一体的に連結されたピストンロッド２４と、本体１２の後部に取り付けられた操作筒２６とが設けられ、さらに操作筒２６内及び本体１２の後端部内において、ピストンロッドガイド２８と、ラチェット筒３０と、中ネジ筒３２と、回り止め筒３４と、リターンスプリング３６とが設けられる。ピストンロッド２４とピストン２２とで繰出し体を構成し、ピストンロッドガイド２８と、ラチェット筒３０と、中ネジ筒３２と、回り止め筒３４と、リターンスプリング３６とで、操作筒２６の操作を繰出し体のタンク部内の軸方向の前進運動に変換する変換機構を構成する。以下、これらの部材について詳細に説明する。
【００２２】
ピストンロッド２４は、ピストン２２から後方へと延びており、図２に示すように、その断面が円形形状から一部が切り欠かれた非円形形状、この実施形態では小判形状をしており、周面に雄ネジ２４ａが形成されている。
【００２３】
操作筒２６には、前部外周面に環状凹部２６ａ（図２）が形成されており、この環状凹部２６ａは、本体１２の後部内周面に形成された環状突起１２ｄ（図１）に嵌入されており、これによって、操作筒２６は、本体１２に対して相対回転可能に取り付けられている。また、操作筒２６の内部後部には、内径方向に突出した複数の回り止め用リブ２６ｃ（図１）が形成されている。
【００２４】
ピストンロッドガイド２８には、図２及び図３に示すように、その後端に複数の縦リブ２８ａが形成されており、隣合う縦リブ２８ａ、２８ａの間に、前記操作筒２６の回り止め用リブ２６ｃが嵌入されて、これによって、操作筒２６とピストンロッドガイド２８とは一体に回転するようになっている。また、ピストンロッドガイド２８の内部には、ピストンロッド２４の断面形状と合致する小判形状の挿通孔２８ｃを持つ筒部２８ｂが形成されており、前記ピストンロッド２４がこの筒部２８ｂの挿通孔２８ｃを貫通することにより、ピストンロッド２４はピストンロッドガイド２８と一体に回転するようになっている。さらにピストンロッドガイド２８には、前方に臨んで円周方向に鋸歯２８ｄが形成されている。
【００２５】
ラチェット筒３０には、図２及び図４に示すように、その後端に、Ｌ字状スリット３０ａにより軸方向に弾性変形して揺動可能となったラチェット歯３０ｂが一対形成されており、このラチェット歯３０ｂは、ピストンロッドガイド２８の鋸歯２８ｄに噛み合っている。また、ラチェット筒３０には、その前端において、前方に臨んで円周方向に鋸歯３０ｃが形成されており、この鋸歯３０ｃは、ピストンロッドガイド２８の鋸歯２８ｄの歯の向きとは反対の向きとなっている。ラチェット筒３０は、ピストンロッドガイド２８と後述の中ネジ筒３２に挟まれて、軸方向に移動不能となっている。
【００２６】
中ネジ筒３２には、図２及び図５に示すように、その後端において、後方に臨んで円周方向に鋸歯３２ａが形成されており、この鋸歯３２ａはラチェット筒３０の鋸歯３０ｃと噛み合い可能となっている。また、中ネジ筒３２の外周面には、複数の回り止め用リブ３２ｂが形成される。また、中ネジ筒３２の内部には雌ネジ孔３２ｃが形成されて、この雌ネジ孔３２ｃにピストンロッド２４の雄ネジ２４ａが螺合しており、中ネジ筒３２は螺合部材を構成する。
【００２７】
図２及び図６に示すように、回り止め筒３４の外周面の一部は多角形外周面３４ａとなっており、本体１２の内周面の一部に形成された多角形孔１２ｃ（図１）と嵌合している。これら多角形外周面３４ａと多角形孔１２ｃとで回り止め構造が形成され、回り止め筒３４は本体１２に対して相対的に回転不能となっている。また、回り止め筒３４の多角形外周面３４ａに隣接して形成され前方に面した外段部３４ｂが、本体１２の内周面に形成されて後方に面した内段部１２ａに当接している。回り止め筒３４は、本体１２の内段部１２ａと操作筒２６の先端との間に挟まれて、本体１２に対して固定される。また、回り止め筒３４の内周面には、複数の縦リブ３４ｃが形成されており、隣合う縦リブ３４ｃ、３４ｃの間に、前記中ネジ筒３２の回り止め用リブ３２ｂが嵌入されて、これによって、中ネジ筒３２は回り止め筒３４と共に本体１２に対して回転不能となっている。
【００２８】
回り止め筒３４の後端と中ネジ筒３２との間にはリターンスプリング３６が介挿され、リターンスプリング３６は、中ネジ筒３２を常時後方へと付勢している。
【００２９】
また、本体１２の先端には、不使用時にブラシ２０を保護するキャップ３８が着脱可能に被着されている。
【００３０】
以上のように構成される液体繰出し容器１０を使用する場合は、図７に示すように、キャップ３８を外して、ブラシ２０を用いて塗布を行うが、ブラシ２０から液体をさらに供給したいときには、操作筒２６を本体１２に対してある方向（正方向とする、例えば右回り）に回動する。
【００３１】
操作筒２６が本体１２に対して回動されると、操作筒２６と共にピストンロッドガイド２８が同じ方向に回動し、ピストンロッド２４も同じ方向に回動する。
【００３２】
一方、ピストンロッド２４と螺合する中ネジ筒３２は、本体１２に固定された回り止め筒３４によって回転不能となっているために、ピストンロッド２４と中ネジ筒３２との間で相対回転が発生し、ピストンロッド２４は、軸方向に前進し、ピストン２２がタンク部Ｔ内を前進するので、タンク部Ｔ内の液体Ｌが本体１２の先端側に設けられた供給口１２ｂへと押圧され、先端パイプ１８内を通り、ブラシ２０先端より供給されて使用できるようになる。
【００３３】
ピストンロッドガイド２８が正方向に回動するときに、ピストンロッドガイド２８の回動は、鋸歯２８ｄとラチェット筒３０のラチェット歯３０ｂとの噛み合いによってラチェット筒３０に伝達する。しかしながら、前述の通り、中ネジ筒３２は回転不能となっているために、図８に示すように、ラチェット筒３０の鋸歯３０ｃと中ネジ筒３２の鋸歯３２ａとの間で滑りが発生し、ラチェット筒３０の鋸歯３０ｃは中ネジ筒３２の鋸歯３２ａの斜面を滑りながら回動し、中ネジ筒３２は、リターンスプリング３６のバネ力に抗して、軸方向前方に移動する。これによって、中ネジ筒３２に螺合するピストンロッド２４も中ネジ筒３２の前方移動と共に移動する。ラチェット筒３０の鋸歯３０ｃが中ネジ筒３２の鋸歯３２ａの頂を乗り越えると、中ネジ筒３２はリターンスプリング３６の反発力により後退する。
【００３４】
こうして、中ネジ筒３２が後退すると、ピストンロッド２４及びピストン２２も後退し、タンクＴ内が減圧され、供給口１２ｂから外気を吸引することで、タンクＴ内の圧力を外気に等しくすることができる。
【００３５】
操作筒２６の操作が終了したときには、必ず中ネジ筒３２が後退するので、タンクＴ内からの液体の漏れ出しを防ぐことができる。
【００３６】
また、この中ネジ筒３２の前後動に応じて鋸歯３０ｃ、３２ａとの間の噛み合いが繰り返されるので、クリック感を発生させることができる。使用者がクリック感に応じて操作することで、ピストンロッド２４の所定ネジピッチに相当する回転分ピストン２２が前進することになると共に、１つのクリックに応じて、中ネジ筒３２の前後の往復動が行われることになり、中ネジ筒３２の後退の度にタンクＴ内の圧力の減圧が行われる。
【００３７】
次に、図９に示すように、操作筒２６を本体に対して前記と反対の方向（逆方向とする、例えば左回り）に回動すると、ピストンロッド２４も同じ方向に回動する。
【００３８】
一方、正方向の回転時と同様に、中ネジ筒３２は回転不能となっているために、ピストンロッド２４と中ネジ筒３２との間で相対回転が発生し、ピストンロッド２４は、軸方向を後退し、ピストン２２がタンク部Ｔ内を後退するので、タンク部Ｔ内の液体Ｌが供給口１２ｂから吸引されることになる。
【００３９】
このピストンロッドガイド２８が逆方向に回動するときに、ラチェット筒３０は、鋸歯３０ｃの鋸歯３２ａとの噛み合いにより回動できないため、ピストンロッドガイド２８の鋸歯２８ｄは、ラチェット筒３０のラチェット歯３０ｂに対して滑り、ラチェット歯３０ｂが軸方向に揺動しながら、ピストンロッドガイド２８が回動する。このラチェット歯３０ｂの揺動に応じて鋸歯２８ｄとラチェット歯３０ｂとの噛み合いが繰り返されるので、クリック感を発生させることができる。こうして、使用者がクリック感に対応して操作することで、ピストンロッド２４の所定ネジピッチに相当する回転分ピストン２２が後退することになる。但し、この後退操作時には、ラチェット筒３０と中ネジ筒３２との間で相対回転が発生しないため、中ネジ筒３２の前後動は発生しない。
【００４０】
以上のように本実施形態によれば、操作筒２６の回動による繰出し操作時に、中ネジ筒３２が回動して中ネジ筒３２とピストンロッド２４との間の相対回転により両者の螺合によってピストンロッド２４が前進することに加えて、中ネジ筒３２の前後動によってピストンロッド２４が一緒に前後動する。特に、操作筒２６の操作開始に伴い、必ず中ネジ筒３２が前進するために、ピストンロッド２４及びピストン２２が一緒に大きく前進してタンクＴ内に大きな圧力を加えて、タンクＴ内の液体を一気に供給口１２ｂから押し出すことができる。また、操作筒２６の回動操作を止めると、必ず、中ネジ筒３２が後退するために、ピストンロッド２４及びピストン２２が一緒に大きく後退してタンクＴ内を減圧することができる。タンクＴ内の残圧を解除することができるので、操作終了後に供給口１２ｂから液体が漏れ出すことはない。
【００４１】
尚、この実施形態では、操作筒２６の正逆操作を可能として、ピストン２２をタンク部Ｔ内で前進及び後退のいずれも可能としていたが、これに限るものではなく、中ネジ筒３２の前後動に伴うピストン２２の前後動を除き、ピストン２２にタンク部Ｔ内で前進のみを行わせる場合には、ラチェット筒３０を省略することも可能である。ラチェット筒３０を省略する場合には、ピストンロッドガイド２８の鋸歯２８ｄが中ネジ筒３２の鋸歯３２ａと噛み合うように、ピストンロッドガイド２８の鋸歯２８ｄの向きを反対に変更することで対応できる。
【００４２】
（第２実施形態）
次に、図１０は、本発明の第２実施形態を表す。
図において、符号１００は液体繰出し容器であり、液体繰出し容器１００は、例えば、化粧用、筆記用、修正用媒体等の液体Ｌが収容されたタンク部Ｔを有し、先端に先端供給口１１２ｂを有する本体１１２を有している。
【００４３】
本体１１２の先端側には、本体１１２の先端の先端供給口１１２ｂに固定された先具１１４と、先具１１４の後部に固定されたパイプホルダー１１６と、パイプホルダー１１６の先端に固定された先端パイプ１１８と、先端パイプ１１８の先端がその基部内に挿入され先具１１４内に基部が固定されたブラシ（先端塗布体）１２０と、が設けられる。
【００４４】
また、本体１１２の後端側には、タンク部Ｔ内を摺動可能となったピストン１２２と、ピストン１２２と一体的に連結されたピストンロッド１２４と、本体１１２の後端に固定された尾冠１２６と、が設けられ、さらに尾冠１２６内及び本体１１２の後端部内において、操作筒１２８と、摺動カム１３０と、回転カム１３２と、リターンスプリング１３４と、ノックスプリング１３６とが設けられる。ピストンロッド１２４とピストン１２２とで繰出し体を構成し、摺動カム１３０と、回転カム１３２と、リターンスプリング１３４と、ノックスプリング１３６とで、操作筒１２８の操作を繰出し体のタンク部内の軸方向の前進運動に変換する変換機構を構成する。以下、これらの部材について詳細に説明する。
【００４５】
ピストンロッド１２４は、ピストン１２２から後方へと延び、図１１に示すように、その断面が円形形状から一部が切り欠かれた非円形形状、この実施形態では小判形状をしており、周面に雄ネジ１２４ａが形成されている。
【００４６】
尾冠１２６には、図１１及び図１２に示すように、その外周面に環状凹部１２６ａが形成されており、この環状凹部１２６ａは、本体１１２の後部内周面に形成された環状突起１１２ｄ（図１０）に嵌入される。また、外周面に多数の回り止め用リブ１２６ｂが形成されており、回り止め用リブ１２６ｂは、本体１１２の内周面に形成された縦溝１１２ｃ（図１０）に嵌入される。これによって、尾冠１２６は、本体１１２に対して固定される。
【００４７】
さらに尾冠１２６には、その周面に第１開口１２６ｃと第２開口１２６ｄが形成される。第２開口１２６ｄは、その後端面が周囲の内周面よりも内径方向に突出しており（図１２ｅ参照）、さらに後端面には、係合突起１２６ｅが第２開口１２６ｄ内に前方に突出するように形成される。また、尾冠１２６の内部には、ピストンロッド１２４の断面形状と合致する小判形状の挿通孔１２６ｇを持つ内筒部１２６ｆが形成されており、前記ピストンロッド１２４がこの内筒部１２６ｆの挿通孔１２６ｇを貫通することにより、ピストンロッド１２４は尾冠１２６及び本体１１２に対して回り止めされている。
【００４８】
操作筒１２８には、図１１及び図１３に示すように、その側面に軸線方向に傾斜した傾斜溝１２８ａが形成される。傾斜溝１２８ａの後端部分は、後方へと凹んだ凹部１２８ｂとなっている。また、三方がスリット１２８ｃに包囲された弾性片１２８ｄを有しており、弾性片１２８ｄの表面に突起１２８ｅが形成される。突起１２８ｅが尾冠１２６の第１開口１２６ｃに軸方向移動可能に嵌入されており、突起１２８ｅが第１開口１２６ｃ内を摺動することで、その摺動範囲内で、操作筒１２８を尾冠１２６及び本体１１２に対してノック操作することが可能となっている。
【００４９】
摺動カム１３０は、図１１及び図１４に示すように、その側面に三方がスリット１３０ａに包囲された弾性片１３０ｂを有しており、弾性片１３０ｂの表面に突起１３０ｃが形成される。突起１３０ｃが操作筒１２８の傾斜溝１２８ａに摺動可能に嵌入されており、突起１３０ｃが傾斜溝１２８ａ内を摺動することで、摺動カム１３０は尾冠１２６及び本体１１２に対して回転可能となっている。また、摺動カム１３０の先端には、Ｌ字状スリット１３０ｄにより軸方向に弾性変形して揺動可能となったラチェット歯１３０ｅが一対形成されている。また、摺動カム１３０の内部には段部１３０ｆが形成される。
【００５０】
回転カム１３２には、図１１及び図１５に示すように、後方に臨んで円周方向に鋸歯１３２ａが形成されており、この鋸歯１３２ａは摺動カム１３０のラチェット歯１３０ｅと噛み合っている。また、鋸歯１３２ａよりも前方には、拡径部１３２ｂが形成されており、拡径部１３２ｂの後端には、円周方向に離間して複数の係合凹部１３２ｃが後方に向かって形成されている。この拡径部１３２ｂは、前記尾冠１２６の第２開口１２６ｄの後端面に係止されており、係合凹部１３２ｃは、第２開口１２６ｄの後端面に形成された係合突起１２６ｅに係合可能となっている。回転カム１３２の後端は、摺動カム１３０の段部１３０ｆに当接する。
【００５１】
さらに回転カム１３２の内部には雌ネジ孔１３２ｄが形成されて、この雌ネジ孔１３２ｄにピストンロッド１２４の雄ネジ１２４ａが螺合しており、回転カム１３２は螺合部材を構成する。
【００５２】
尾冠１２６と回転カム１３２との間にはリターンスプリング１３４が介挿され、リターンスプリング１３４は、回転カム１３２を常時後方へと付勢している。
【００５３】
また、摺動カム１３０と操作筒１２８との間にはノックスプリング１３６が介挿され、ノックスプリング１３６は両者を離反する方向へと付勢している。
【００５４】
また、本体１１２の先端には、不使用時にブラシ１２０を保護するキャップ１３８が着脱可能に被着されている。
【００５５】
以上のように構成される液体繰出し容器１００を使用する場合は、図１６に示すように、キャップ１３８を外して、ブラシ１２０を用いて塗布を行うが、ブラシ１２０から液体をさらに供給したいときには操作筒１２８を本体１１２に対してノックする。
【００５６】
操作筒１２８が本体１１２に対してノックされて前進すると、操作筒１２８の傾斜溝１２８ａに摺動カム１３０の突起１３０ｃが嵌入しているために、摺動カム１３０も動作を開始するが、ノック操作開始時は、回転カム１３２の係合凹部１３２ｃが尾冠１２６の係合突起１２６ｅと嵌合しており、回転カム１３２の回動は禁止されており、且つ回転カム１３２の鋸歯１３２ａと摺動カム１３０のラチェット歯１３０ｅとの噛み合いによって摺動カム１３０もその回動が禁止されるために、摺動カム１３０は、操作筒１２８と共に前進する。
【００５７】
図１７に示したように、摺動カム１３０と一緒に回転カム１３２も前進するために、回転カム１３２の係合凹部１３２ｃと尾冠１２６の係合突起１２６ｅとの嵌合が解除され、回転カム１３２及び摺動カム１３０は回動可能となる。また、摺動カム１３０の前進運動も制限されると、図１８に示したように、摺動カム１３０の突起１３０ｃが操作筒１２８の傾斜溝１２８ａを相対的に移動し、摺動カム１３０は回動し、これに伴い回転カム１３２も回動する。
【００５８】
ピストンロッド１２４は、尾冠１２６によって回り止めされているために、回転カム１３２が前進したときに、一緒に軸方向を前進し、その後、回転カム１３２が回動すると、回転カム１３２とピストンロッド１２４との間に相対回転が発生するので、ピストンロッド１２４は軸方向を前進する。このピストンロッド１２４の前進により、ピストン１２２がタンク部Ｔ内を前進するので、タンク部Ｔ内の液体Ｌが本体１１２の先端側に設けられた供給口１１２ｂへと押圧され、先端パイプ１１８内を通り、ブラシ１２０先端より供給されて使用できるようになる。
【００５９】
操作筒１２８が尾冠１２６に対して摺動可能な範囲で完全に操作筒１２８のノックを行うと、摺動カム１３０の突起１３０ｃは、傾斜溝１２８ａの端部に到達する。すると、リターンスプリング１３４の反発力によって、回転カム１３２及び摺動カム１３０が後退し、突起１３０ｃは、傾斜溝１２８ａの端部の凹部１２８ｂに嵌合する。
【００６０】
回転カム１３２が後退することで、ピストンロッド１２４及びピストン１２２も後退し、タンクＴ内が減圧され、供給口１１２ｂから外気を吸引することで、タンクＴ内の圧力を外気に等しくすることができる。よって、タンクＴ内からの液体の漏れ出しを防ぐことができる。
【００６１】
また、回転カム１３２が後退することによって、回転カム１３２の係合凹部１３２ｃが尾冠１２６の係合突起１２６ｅと嵌合し、回転カム１３２は再びその回動が禁止される。
【００６２】
次に、操作筒１２８のノックを解除すると、ノックスプリング１３６の反発力によって、操作筒１２８が後退し、摺動カム１３０の突起１３０ｃは、傾斜溝１２８ａを相対的に移動し、摺動カム１３０は回動する。このとき、回転カム１３２は回動が禁止されているために、摺動カム１３０のラチェット歯１３０ｅが、回転カム１３２の鋸歯１３２ａの斜面を滑りながら、先と反対方向に回動する。
【００６３】
このノック操作を繰り返すことで、摺動カム１３０は一定の角度範囲の往復回動を繰り返すが、回転カム１３２は一定方向のみの回動を行い、回転カム１３２の回動によってピストンロッド１２４及びピストン１２２を一定距離だけ確実に前進させることができ、タンクＴ内に充填された液体を供給口１１２ｂから繰り出すことができる。
【００６４】
以上のように本実施形態によれば、操作筒１２８のノックによる繰出し操作時に、回転カム１３２が回動して回転カム１３２とピストンロッド１２４との間の相対回転により両者の螺合によってピストンロッド１２４が前進することに加えて、回転カム１３２の前後動によってピストンロッド１２４が一緒に前後動する。特に、操作筒１２８の操作開始に伴い、必ず回転カム１３２が前進するために、ピストンロッド１２４及びピストン１２２が一緒に大きく前進してタンクＴ内に大きな圧力を加えて、タンクＴ内の液体を一気に供給口１１２ｂから押し出すことができる。また、操作筒１２８をノックしきると、回転カム１３２が後退するために、ピストンロッド１２４及びピストン１２２が一緒に大きく後退してタンクＴ内を減圧することができる。タンクＴ内の残圧を解除することができるので、操作終了後に先端供給口１１２ｂから液体が漏出ることはない。
【００６５】
また、この実施形態では、操作筒１２８をノックしきった時に既に回転カム１３２が後退しているので、操作筒１２８を長時間押し続けていたとしても、既にタンクＴ内の残圧が解除されているために、液体が漏れ出ることを防ぐことができる。
【００６６】
但し、以上の例に限らず、操作筒１２８がノックをしきった後に回転カム１３２が後退してもよく、または、操作筒１２８が後方に戻るのに伴って、回転カム１３２が後退するようにしてもよい。
【００６７】
以上の実施形態において複数の部材で構成した部品を単一部材で構成することも可能であり、または単一の部材で構成した部品を複数の部材で構成することも可能である。
【符号の説明】
【００６８】
１２、１１２  本体
１２ｂ、１１２ｂ  先端供給口
２２、１２２  ピストン（繰出し体）
２４、１２４  ピストンロッド（繰出し体）
２６、１２８  操作筒（操作体）
２８  ピストンロッドガイド（第１伝達部材）
３０  ラチェット筒
３０ｃ  鋸歯（第２鋸歯）
３２  中ネジ筒（螺合部材）
３２ａ  鋸歯（第１鋸歯）
３４  回り止め筒
３６  リターンスプリング
１２６ｅ  係合突起（第２係合部）
１３０  摺動カム（第２伝達部材）
１３２  回転カム（螺合部材）
１３２ｃ  係合凹部（第１係合部）
１３４  リターンスプリング
Ｌ  液体
Ｔ  タンク部
【図１】
2010274989.tif 000003
【図２】
2010274989.tif 000004
【図３】
2010274989.tif 000005
【図４】
2010274989.tif 000006
【図５】
2010274989.tif 000007
【図６】
2010274989.tif 000008
【図７】
2010274989.tif 000009
【図８】
2010274989.tif 000010
【図９】
2010274989.tif 000011
【図１０】
2010274989.tif 000012
【図１１】
2010274989.tif 000013
【図１２】
2010274989.tif 000014
【図１３】
2010274989.tif 000015
【図１４】
2010274989.tif 000016
【図１５】
2010274989.tif 000017
【図１６】
2010274989.tif 000018
【図１７】
2010274989.tif 000019
【図１８】
2010274989.tif 000020
【図１９】
2010274989.tif 000021